(57)【特許請求の範囲】
【請求項１】
複数のカスケード接続するＧＯＡ駆動サブユニットを含む前段回路と、
複数のカスケード接続するＧＯＡ駆動サブユニットを含む中段回路と、
複数のカスケード接続するＧＯＡ駆動サブユニットを含む後段回路と、を含んでなり、フラットパネル表示装置に適用されるＧＯＡ駆動回路であって、
該中段回路の１個目のＧＯＡ駆動サブユニットの入力端が該前段回路の最後のＧＯＡ駆動サブユニットの出力端に電気的に接続し、
該後段回路の１個目のＧＯＡ駆動サブユニットの入力端が該中段回路の最後のＧＯＡ駆動サブユニットの出力端に電気的に接続し、
該前段回路と該中段回路と該後段回路のＧＯＡ駆動サブユニットは、それぞれ第１クロック信号と第２クロック信号とを受信して、対応するゲート駆動信号を順に生成し、
該第１クロック信号と該第２クロック信号とに中断周期を設定し、該対応する順に生成されるゲート駆動信号の間に中断を発生させ、フラットパネル表示装置が中断する区間内でタッチ検知の操作を行ない、
該中断周期が１つのパルス信号時間より長く、かつ１フレームの画面の時間より短く、
前記第１クロック信号と第２クロック信号は、それぞれ第１周期と該中断周期と回復周期と第２周期とを含み、該第１周期において、該第１クロック信号と該第２クロック信号とがパルス信号をそれぞれ出力し、該第１クロック信号の出力するパルス信号の極性と、該第２クロック信号の出力するパルス信号の極性とが逆であって、かつＧＯＡ駆動回路の該前段回路のＧＯＡ駆動サブユニットは、それぞれ部分的なゲート駆動信号を順に出力し、フラットパネル表示装置の部分的なゲート線を駆動し、
該中断周期においては、該第１クロック信号を第１ロジックに維持し、該第２クロック信号を第２ロジックに維持し、該第１ロジックは該第２ロジックと極性が逆になり、かつ該中断周期においてＧＯＡ駆動回路の該中段回路と該後段回路とがゲート駆動信号の出力を中止し、
該回復周期においては、該第１クロック信号を第２ロジックに維持し、該第２クロック信号は１つの第２ロジック信号と１つの第１ロジック信号を出力し、ＧＯＡ駆動回路の該中段回路が、次の２段のゲート駆動信号の出力を回復し、
該第２周期において、該第１クロック信号と該第２クロック信号とがパルス信号をそれぞれ出力し、かつ該第１クロック信号の出力するパルス信号の極性と、該第２クロック信号の出力するパルス信号の極性とが逆になり、ＧＯＡ駆動回路の該後段回路は、残りのゲート駆動信号を出力する
ことを特徴とするフラットパネル表示装置に適用されるＧＯＡ駆動回路。
【請求項２】
請求項１に記載のフラットパネル表示装置に適用されるＧＯＡ駆動回路において、
前記前段回路と該中段回路と該後段回路とにおけるそれぞれのＧＯＡ駆動サブユニットは、それぞれ１本の対応するゲート線に電気的に接続し、対応するゲート駆動信号を対応するゲート線に、順に出力する
ことを特徴とするフラットパネル表示装置に適用されるＧＯＡ駆動回路。
【請求項３】
請求項１に記載のフラットパネル表示装置に適用されるＧＯＡ駆動回路において、
前記第１ロジックがロジック低レベルであって、該第２ロジックがロジック高レベルである
ことを特徴とするフラットパネル表示装置に適用されるＧＯＡ駆動回路。
【請求項４】
請求項１に記載のフラットパネル表示装置に適用されるＧＯＡ駆動回路において、
前記中断周期が実際のニーズに基づき調整される
ことを特徴とするフラットパネル表示装置に適用されるＧＯＡ駆動回路。
【請求項５】
請求項１に記載のフラットパネル表示装置に適用されるＧＯＡ駆動回路において、
前記前段回路と該中段回路と該後段回路とが、奇数個目のＧＯＡ駆動サブユニットと偶数個目のＧＯＡ駆動サブユニットとを含む
ことを特徴とするフラットパネル表示装置に適用されるＧＯＡ駆動回路。
【請求項６】
請求項５に記載のフラットパネル表示装置に適用されるＧＯＡ駆動回路において、
前記前段回路の該奇数個目のＧＯＡ駆動サブユニットと該偶数個目のＧＯＡ駆動サブユニットとが、第１インバータと第２インバータと第１ＮＯＲゲート及び第２ＮＯＲゲートと、ＮＡＮＤゲートと、第３インバータと、第４インバータとを含み、
該第１インバータは、入力端と第１クロック制御端と第２クロック制御端と出力端とを含んでなり、かつ該入力端が１個前のＧＯＡ駆動サブユニットの出力端に電気的に接続し、
該第２インバータは入力端が該第１インバータの出力端に電気的に接続し、
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、
該第２ＮＯＲゲートは、第２入力端が該第２インバータの入力端に電気的に接続し、
該ＮＡＮＤゲートは、第１入力端が該第１クロック信号か、該第２クロック信号に電気的に接続し、かつ第２入力端が該第２ＮＯＲゲートの出力端に電気的に接続し、
該第３インバータは、入力端が該ＮＡＮＤゲートの出力端に電気的に接続し、
該第４インバータは、入力端が該第３インバータの出力端に電気的に接続し、かつ該第４インバータの出力端は、本ＧＯＡ駆動サブユニットの出力端として、対応するゲート駆動信号を出力し、
該奇数個目のＧＯＡ駆動サブユニットの該第１インバータは、第１クロック制御端が該第１クロック信号に電気的に接続し、第２クロック制御端が該第２クロック信号に電気的に接続し、かつ該ＮＡＮＤゲートの第１入力端が該第１クロック信号に電気的に接続し、
該偶数個目のＧＯＡ駆動サブユニットの該第１インバータは、第１クロック制御端が該第２クロック信号に電気的に接続し、第２クロック制御端が該第１クロック信号に電気的に接続し、該ＮＡＮＤゲートの第１入力端が該第２クロック制御信号に電気的に接続する
ことを特徴とするフラットパネル表示装置に適用されるＧＯＡ駆動回路。
【請求項７】
請求項５に記載のフラットパネル表示装置に適用されるＧＯＡ駆動回路において、
前記中段回路の該奇数個目のＧＯＡ駆動サブユニットが、第１インバータと第２インバータと第１ＮＯＲゲート及び第２ＮＯＲゲートと、トライステートＮＡＮＤゲートと、第３インバータと、第４インバータとを含み、
該第１インバータは、入力端と第１クロック制御端と第２クロック制御端と出力端とを含んでなり、かつ該入力端が該前段回路の最後のＧＯＡ回路の出力端に電気的に接続し、
該第２インバータは入力端が該第１インバータの出力端に電気的に接続し、
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続し、
該トライステートＮＡＮＤゲートは、第１入力端と第２入力端と、第３入力端と出力端とを含み、かつ該第１入力端が該第２ＮＯＲゲートの出力端に電気的に接続し、
該第３インバータは、入力端が該トライステートＮＡＮＤゲートの出力端に電気的に接続し、
該第４インバータは、入力端が該第３インバータの出力端に電気的に接続し、かつ該第４インバータの出力端は、本ＧＯＡ駆動サブユニットの出力端として、対応するゲート駆動信号を出力し、
該奇数個目のＧＯＡ駆動サブユニットの該第１インバータの該第１クロック制御端と該トライステートＮＡＮＤゲートの第２入力端とが、それぞれ第１クロック信号に電気的に接続し、該第１インバータの該第２クロック制御端と該トライステートＮＡＮＤゲートの第３入力端とが、それぞれ第２クロック信号に電気的に接続し、
前記中段回路の該偶数個目のＧＯＡ駆動サブユニットが、第１インバータと第２インバータと第１ＮＯＲゲート及び第２ＮＯＲゲートと、第３インバータと、第４インバータと第５インバータとを含み、
該第１インバータは、入力端と第１クロック制御端と第２クロック制御端と出力端とを含んでなり、かつ該入力端が１個前のＧＯＡ回路の出力端に電気的に接続し、
該第２インバータは入力端が該第１インバータの出力端に電気的に接続し、
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続し、
該第３インバータは、入力端が該第２ＮＯＲゲートの出力端に電気的に接続し、
該第４インバータは、第１入力端と第２入力端と出力端とを含み、かつ該第１入力端が該第３インバータの出力端に電気的に接続し、
該第５インバータは、入力端が該第４インバータの出力端に電気的に接続し、かつ該第５インバータの出力端は、本ＧＯＡ駆動サブユニットの出力端として、対応するゲート駆動信号を出力し、
該偶数個目のＧＯＡ駆動サブユニットの該第１インバータの該第１クロック制御端と該第４インバータの第２入力端とが、それぞれ該第２クロック信号に電気的に接続し、該第１インバータの第２クロック制御端に該第１クロック信号が電気的に接続する
ことを特徴とするフラットパネル表示装置に適用されるＧＯＡ駆動回路。
【請求項８】
請求項５に記載のフラットパネル表示装置に適用されるＧＯＡ駆動回路において、
前記後段回路の該奇数個目のＧＯＡ駆動サブユニットと該偶数個目のＧＯＡ駆動サブユニットとが、第１インバータと第２インバータと第１ＮＯＲゲート及び第２ＮＯＲゲートと、ＮＡＮＤゲートと、第３インバータと、第４インバータとを含み、
該第１インバータは、入力端と第１クロック制御端と第２クロック制御端と出力端とを含んでなり、かつ該入力端が前段回路の最後のＧＯＡ駆動サブユニットの出力端に電気的に接続し、
該第２インバータは入力端が該第１インバータの出力端に電気的に接続し、
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続し、
該ＮＡＮＤゲートは、第１入力端が該第１クロック信号か、該第２クロック信号に電気的に接続し、かつ第２入力端が該第２ＮＯＲゲートの出力端に電気的に接続し、
該第３インバータは、入力端が該ＮＡＮＤゲートの出力端に電気的に接続し、
該第４インバータは、入力端が該第３インバータの出力端に電気的に接続し、かつ該第４インバータの出力端は、本ＧＯＡ駆動サブユニットの出力端として対応するゲート駆動信号を出力し、
該奇数個目のＧＯＡ駆動サブユニットの該第１インバータは、第１クロック制御端が該第１クロック信号に電気的に接続し、第２クロック制御端が該第２クロック信号に電気的に接続し、かつ該ＮＡＮＤゲートの第１入力端が該第１クロック信号に電気的に接続し、
該偶数個目のＧＯＡ駆動サブユニットの該第１インバータは、第１クロック制御端が該第２クロック信号に電気的に接続し、
第２クロック制御端が該第１クロック信号に電気的に接続し、該ＮＡＮＤゲートの第１入力端が該第２クロック制御信号に電気的に接続する
ことを特徴とするフラットパネル表示装置に適用されるＧＯＡ駆動回路。
【請求項９】
複数のカスケード接続するＧＯＡ駆動サブユニットを含む前段回路と、
複数のカスケード接続するＧＯＡ駆動サブユニットを含む中段回路と、
複数のカスケード接続するＧＯＡ駆動サブユニットを含む後段回路と、を含んでなり、フラットパネル表示装置に適用されるＧＯＡ駆動回路であって、
該中段回路の１個目のＧＯＡ駆動サブユニットの入力端が該前段回路の最後のＧＯＡ駆動サブユニットの出力端に電気的に接続し、  該後段回路の１個目のＧＯＡ駆動サブユニットの入力端が該中段回路の最後のＧＯＡ駆動サブユニットの出力端に電気的に接続し、
該前段回路と該中段回路と該後段回路のＧＯＡ駆動サブユニットは、それぞれ第１クロック信号と第２クロック信号とを受信して、対応するゲート駆動信号を順に生成し、
該第１クロック信号と該第２クロック信号とに中断周期を設定し、該対応する順に生成される対応したゲート駆動信号の間に中断を発生させ、フラットパネル表示装置が中断する区間内でタッチ検知の操作を行ない、
前記第１クロック信号と第２クロック信号は、それぞれ第１周期と該中断周期と回復周期と第２周期とを含み、
該第１周期において、該第１クロック信号と該第２クロック信号とがパルス信号をそれぞれ出力し、該第１クロック信号の出力するパルス信号の極性と、該第２クロック信号の出力するパルス信号の極性とが逆であって、かつＧＯＡ駆動回路の該前段回路のＧＯＡ駆動サブユニットは、それぞれ部分的なゲート駆動信号を順に出力し、フラットパネル表示装置の部分的なゲート線を駆動し、
該中断周期においては、該第１クロック信号を第１ロジックに維持し、該第２クロック信号を第２ロジックに維持し、該第１ロジックは該第２ロジックと極性が逆になり、かつ該中断周期においてＧＯＡ駆動回路の該中段回路と該後段回路とがゲート駆動信号の出力を中止し、
該回復周期においては、該第１クロック信号を第２ロジックに維持し、該第２クロック信号は１つの第２ロジック信号と１つの第１ロジック信号を出力し、ＧＯＡ駆動回路の該中段回路が、次の２段のゲート駆動信号の出力を回復し、
該第２周期において、該第１クロック信号と該第２クロック信号とがパルス信号をそれぞれ出力し、かつ該第１クロック信号の出力するパルス信号の極性と、該第２クロック信号の出力するパルス信号の極性とが逆になり、ＧＯＡ駆動回路の該後段回路は、残りのゲート駆動信号を出力する
ことを特徴とするフラットパネル表示装置に適用されるＧＯＡ駆動回路。
【請求項１０】
請求項９に記載のフラットパネル表示装置に適用されるＧＯＡ駆動回路において、
前記前段回路と該中段回路と該後段回路とにおけるそれぞれのＧＯＡ駆動サブユニットは、それぞれ１本の対応するゲート線に電気的に接続し、対応するゲート駆動信号を対応するゲート線に、順に出力する
ことを特徴とするフラットパネル表示装置に適用されるＧＯＡ駆動回路。
【請求項１１】
請求項９に記載のフラットパネル表示装置に適用されるＧＯＡ駆動回路において、
前記第１ロジックがロジック低レベルであって、該第２ロジックがロジック高レベルである
ことを特徴とするフラットパネル表示装置に適用されるＧＯＡ駆動回路。
【請求項１２】
請求項９に記載のフラットパネル表示装置に適用されるＧＯＡ駆動回路において、
前記中断周期が実際のニーズに基づき調整される
ことを特徴とするフラットパネル表示装置に適用されるＧＯＡ駆動回路。
【請求項１３】
請求項９に記載のフラットパネル表示装置に適用されるＧＯＡ駆動回路において、
前記前段回路と該中段回路と該後段回路とが、奇数個目のＧＯＡ駆動サブユニットと偶数個目のＧＯＡ駆動サブユニットとを含む
ことを特徴とするフラットパネル表示装置に適用されるＧＯＡ駆動回路。
【請求項１４】
請求項１３に記載のフラットパネル表示装置に適用されるＧＯＡ駆動回路
前記前段回路の該奇数個目のＧＯＡ駆動サブユニットと該偶数個目のＧＯＡ駆動サブユニットとが、第１インバータと第２インバータと第１ＮＯＲゲート及び第２ＮＯＲゲートと、ＮＡＮＤゲートと、第３インバータと、第４インバータとを含み、
該第１インバータは、入力端と第１クロック制御端と第２クロック制御端と出力端とを含んでなり、かつ該入力端が１個前のＧＯＡ駆動サブユニットの出力端に電気的に接続し、
該第２インバータは入力端が該第１インバータの出力端に電気的に接続し、
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続し、
該ＮＡＮＤゲートは、第１入力端が該第１クロック信号か、該第２クロック信号に電気的に接続し、かつ第２入力端が該第２ＮＯＲゲートの出力端に電気的に接続し、
該第３インバータは、入力端が該ＮＡＮＤゲートの出力端に電気的に接続し、
該第４インバータは、入力端が該第３インバータの出力端に電気的に接続し、かつ該第４インバータの出力端は、本ＧＯＡ駆動サブユニットの出力端として対応するゲート駆動信号を出力し、
該奇数個目のＧＯＡ駆動サブユニットの該第１インバータは、第１クロック制御端が該第１クロック信号に電気的に接続し、第２クロック制御端が該第２クロック信号に電気的に接続し、かつ該ＮＡＮＤゲートの第１入力端が該第１クロック信号に電気的に接続し、
該偶数個目のＧＯＡ駆動サブユニットの該第１インバータは、第１クロック制御端が該第２クロック信号に電気的に接続し、第２クロック制御端が該第１クロック信号に電気的に接続し、該ＮＡＮＤゲートの第１入力端が該第２クロック制御信号に電気的に接続する
ことを特徴とするフラットパネル表示装置に適用されるＧＯＡ駆動回路。
【請求項１５】
請求項１３に記載のフラットパネル表示装置に適用されるＧＯＡ駆動回路において、
前記中段回路の該奇数個目のＧＯＡ駆動サブユニットが、第１インバータと第２インバータと第１ＮＯＲゲート及び第２ＮＯＲゲートと、トライステートＮＡＮＤゲートと、第３インバータと、第４インバータとを含み、
該第１インバータは、入力端と第１クロック制御端と第２クロック制御端と出力端とを含んでなり、かつ該入力端が該前段回路の最後のＧＯＡ回路の出力端に電気的に接続し、
該第２インバータは入力端が該第１インバータの出力端に電気的に接続し、
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続し、
該トライステートＮＡＮＤゲートは、第１入力端と第２入力端と、第３入力端と出力端とを含み、かつ該第１入力端が該第２ＮＯＲゲートの出力端に電気的に接続し、
該第３インバータは、入力端が該トライステートＮＡＮＤゲートの出力端に電気的に接続し、
該第４インバータは、入力端が該第３インバータの出力端に電気的に接続し、かつ該第４インバータは、本ＧＯＡ駆動サブユニットの出力端として対応するゲート駆動信号を出力し、
該奇数個目のＧＯＡ駆動サブユニットの該第１インバータの該第１クロック制御端と該トライステートＮＡＮＤゲートの第２入力端とが、それぞれ第１クロック信号に電気的に接続し、該第１インバータの第２クロック制御端と該トライステートＮＡＮＤゲートの第３入力端とが、それぞれ第２クロック信号に電気的に接続し、
前記中段回路の該偶数個目のＧＯＡ駆動サブユニットが、第１インバータと第２インバータと第１ＮＯＲゲート及び第２ＮＯＲゲートと、第３インバータと、第４インバータと第５インバータとを含み、
該第１インバータは、入力端と第１クロック制御端と第２クロック制御端と出力端とを含んでなり、かつ該入力端が１個前のＧＯＡ回路の出力端に電気的に接続し、
該第２インバータは入力端が該第１インバータの出力端に電気的に接続し、
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続し、
該第３インバータは、入力端が該第２ＮＯＲゲートの出力端に電気的に接続し、
該第４インバータは、第１入力端と第２入力端と出力端とを含み、かつ該第１入力端が該第３インバータの出力端に電気的に接続し、
該第５インバータは、入力端が該第４インバータの出力端に電気的に接続し、かつ該第５インバータの出力端は、本ＧＯＡ駆動サブユニットの出力端として対応するゲート駆動信号を出力し、
該偶数個目のＧＯＡ駆動サブユニットの該第１インバータの該第１クロック制御端と該第４インバータの第２入力端とが、それぞれ該第２クロック信号に電気的に接続し、該第１インバータの第２クロック制御端に該第１クロック信号が電気的に接続する
ことを特徴とする請求項１３に記載のフラットパネル表示装置に適用されるＧＯＡ駆動回路。
【請求項１６】
請求項１３に記載のフラットパネル表示装置に適用されるＧＯＡ駆動回路において、
前記後段回路の該奇数個目のＧＯＡ駆動サブユニットと該偶数個目のＧＯＡ駆動サブユニットとが、第１インバータと第２インバータと第１ＮＯＲゲート及び第２ＮＯＲゲートと、ＮＡＮＤゲートと、第３インバータと、第４インバータとを含み、
該第１インバータは、入力端と第１クロック制御端と第２クロック制御端と出力端とを含んでなり、かつ該入力端が前段回路の最後のＧＯＡ駆動サブユニットの出力端に電気的に接続し、
該第２インバータは入力端が該第１インバータの出力端に電気的に接続し、
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続し、
該ＮＡＮＤゲートは、第１入力端が該第１クロック信号か、該第２クロック信号に電気的に接続し、かつ第２入力端が該第２ＮＯＲゲートの出力端に電気的に接続し、
該第３インバータは、入力端が該ＮＡＮＤゲートの出力端に電気的に接続し、
該第４インバータは、入力端が該第３インバータの出力端に電気的に接続し、かつ該第４インバータの出力端は、本ＧＯＡ駆動サブユニットの出力端として対応するゲート駆動信号を出力し、
該奇数個目のＧＯＡ駆動サブユニットの該第１インバータは、第１クロック制御端が該第１クロック信号に電気的に接続し、第２クロック制御端が該第２クロック信号に電気的に接続し、かつ該ＮＡＮＤゲートの第１入力端が該第１クロック信号に電気的に接続し、
該偶数個目のＧＯＡ駆動サブユニットの該第１インバータは、第１クロック制御端が該第２クロック信号に電気的に接続し、第２クロック制御端が該第１クロック信号に電気的に接続し、該ＮＡＮＤゲートの第１入力端が該第２クロック制御信号に電気的に接続する
ことを特徴とするフラットパネル表示装置に適用されるＧＯＡ駆動回路。
【請求項１７】
請求項１から請求項１６のいずれかに記載の前記ＧＯＡ駆動回路を含んでなる
ことを特徴とするフラットパネル表示装置。
【発明の詳細な説明】
【技術分野】
【０００１】
この発明は、表示装置技術に関し、特にフラットパネル表示装置に適用されるＧＯＡ駆動回路、及びフラットパネル表示装置
に関する。
【背景技術】
【０００２】
ＧＯＡ（ｇａｔｅ  ｄｒｉｖｅｒ  ｏｎ  ａｒｒａｙ）技術は、生産コストの節減と、狭額縁化を達成するという長所を具え、液晶表示装置（ＬＣＤ）の領域で応用されている。同時に、電子システムとユーザーとの間に自然なインターフェースを提供するタッチ・センシング技術においても広く応用されていて、特にインセルタッチ（ｉｎ−ｃｅｌｌ  ｔｏｕｃｈ）は、薄型化や敏感なタッチ検知などの長所を有する。
【０００３】
従来の技術はＧＯＡ駆動回路とタッチ技術を結合して適用される場合、通常はパネルの正常な作業時に、先ずＧＯＡ回路によって駆動走査を行ない、全てのゲート線の走査が完了してから、タッチ信号の出力走査を行う。ＧＯＡ回路の駆動走査の過程には中断が存在しない。よって、ＧＯＡ回路の駆動走査の頻度とタッチ信号の出力走査の頻度は一致する。即ち、１回のＧＯＡ回路の駆動走査は、１回のタッチ信号の出力走査にしか対応しない。これではタッチ走査の頻度が制限を受ける。
【発明の概要】
【発明が解決しようとする課題】
【０００４】
この発明は、ＧＯＡ駆動回路の走査中断を実現し、タッチ走査の頻度を増やすフラットパネル表示装置に適用されるＧＯＡ駆動回路、及びフラットパネル表示装置を提供することを課題とする。
【課題を解決するための手段】
【０００５】
上述する課題を解決するために、この発明の採用する技術プランはフラットパネル表示装置に適用されるＧＯＡ駆動回路、及びフラットパネル表示装置を提供するものであって、複数のカスケード接続するＧＯＡ駆動サブユニットを含む前段回路と、複数のカスケード接続するＧＯＡ駆動サブユニットを含む中段回路と、複数のカスケード接続するＧＯＡ駆動サブユニットを含む後段回路と、を含んでなる。
【０００６】
該中段回路の１つ前のＧＯＡ駆動サブユニットの入力端が該前段回路の最後のＧＯＡ駆動サブユニットの出力端に電気的に接続する。
【０００７】
該後段回路の１つめのＧＯＡ駆動サブユニットの入力端が該中段回路の最後のＧＯＡ駆動サブユニットの出力端に電気的に接続する。
【０００８】
該前段回路と該中段回路と該後段回路のＧＯＡ駆動サブユニットは、それぞれ第１クロック信号と第２クロック信号とを受信して、順にゲート駆動信号を生成し、該第１クロック信号と該第２クロック信号とに中断周期を設定し、順に生成される対応したゲート駆動信号の間に中断を発生させ、フラットパネル表示装置が中断する区間内でタッチ検知の操作を行なう。該中断周期は１つのパルス信号時間より長く、かつ１フレームの画面の時間より短い。
【０００９】
前記前段回路と該中段回路と該後段回路とにおけるそれぞれのＧＯＡ駆動サブユニットは、それぞれ１本の対応するゲート線に電気的に接続し、対応するゲート駆動信号を対応するゲート線に、順に出力する。
【００１０】
前記第１クロック信号と第２クロック信号は、それぞれ第１周期と中断周期と回復周期と第２周期とを含む。
【００１１】
該第１周期において、該第１クロック信号と該第２クロック信号とがパルス信号をそれぞれ出力し、該第１クロック信号の出力するパルス信号の極性と、該第２クロック信号の出力するパルス信号の極性とが逆であって、かつＧＯＡ駆動回路の該前段回路のＧＯＡ駆動サブユニットは、それぞれ部分的なゲート駆動信号を順に出力し、フラットパネル表示装置の部分的なゲート線を駆動する。
【００１２】
該中断周期においては、該第１クロック信号を第１ロジックに維持し、該第２クロック信号を第２ロジックに維持し、該第１ロジックは該第２ロジックと極性が逆になり、かつ該中断周期においてＧＯＡ駆動回路の該中段回路と該後段回路とがゲート駆動信号の出力を中止する。
【００１３】
該回復周期においては、該第１クロック信号を第２ロジックに維持し、該第２クロック信号は１つの第２ロジック信号と１つの第１ロジック信号を出力し、ＧＯＡ駆動回路の該中段回路が、次の２段のゲート駆動信号の出力を回復する。
【００１４】
該第２周期において、該第１クロック信号と該第２クロック信号とがパルス信号をそれぞれ出力し、かつ該第１クロック信号の出力するパルス信号の極性と、該第２クロック信号の出力するパルス信号の極性とが逆になり、ＧＯＡ駆動回路の該後段回路は、残りのゲート駆動信号を出力する。
【００１５】
前記第１ロジックがロジック低レベルであって、該第２ロジックがロジック高レベルである。
【００１６】
該中断周期は実際のニーズに基づき調整される。
【００１７】
前記前段回路と該中段回路と該後段回路とが、奇数個目のＧＯＡ駆動サブユニットと偶数個目のＧＯＡ駆動サブユニットとを含む。
【００１８】
前記前段回路の該奇数個目のＧＯＡ駆動サブユニットと該偶数個目のＧＯＡ駆動サブユニットとが、第１インバータと第２インバータと第１ＮＯＲゲート及び第２ＮＯＲゲートと、ＮＡＮＤゲートと、第３インバータと、第４インバータとを含む。
【００１９】
該第１インバータは、入力端と第１クロック制御端と第２クロック制御端と出力端とを含んでなり、かつ該入力端が前段ＧＯＡ駆動サブユニットの出力端に電気的に接続する。
【００２０】
該第２インバータは入力端が該第１インバータの出力端に電気的に接続する。
【００２１】
第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続する。
【００２２】
該ＮＡＮＤゲートは、第１入力端が該第１クロック信号か、該第２クロック信号に電気的に接続し、かつ第２入力端が該第２ＮＯＲゲートの出力端に電気的に接続する。
【００２３】
該第３インバータは、入力端が該ＮＡＮＤゲートの出力端に電気的に接続する。
【００２４】
該第４インバータは、入力端が該第３インバータの出力端に電気的に接続し、かつ該第４インバータの出力端を該段のＧＯＡ駆動サブユニットの出力端として対応するゲート駆動信号を出力する。
【００２５】
該奇数個目のＧＯＡ駆動サブユニットの該第１インバータは、第１クロック制御端が該第１クロック信号に電気的に接続し、第２クロック制御端が該第２クロック信号に電気的に接続し、かつ該ＮＡＮＤゲートの第１入力端が該第１クロック信号に電気的に接続する。
【００２６】
該偶数個目のＧＯＡ駆動サブユニットの該第１インバータは、第１クロック制御端が該第２クロック信号に電気的に接続し、第２クロック制御端が該第１クロック信号に電気的に接続し、該ＮＡＮＤゲートの第１入力端が該第２クロック制御信号に電気的に接続する。
【００２７】
前記中段回路の該奇数個目のＧＯＡ駆動サブユニットが、第１インバータと第２インバータと第１ＮＯＲゲート及び第２ＮＯＲゲートと、トライステートＮＡＮＤゲートと、第３インバータと、第４インバータとを含む。
【００２８】
該第１インバータは、入力端と第１クロック制御端と第２クロック制御端と出力端とを含んでなり、かつ該入力端が該前段回路の最後のＧＯＡ回路の出力端に電気的に接続する。
【００２９】
該第２インバータは入力端が該第１インバータの出力端に電気的に接続する。
【００３０】
第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続する。
【００３１】
該トライステートＮＡＮＤゲートは、第１入力端と第２入力端と、第３入力端と出力端とを含み、かつ該第１入力端が該第２ＮＯＲゲートの出力端に電気的に接続する。
【００３２】
該第３インバータは、入力端が該トライステートＮＡＮＤゲートの出力端に電気的に接続する。
【００３３】
該第４インバータは、入力端が該第３インバータの出力端に電気的に接続し、かつ該第４インバータの出力端を該段のＧＯＡ駆動サブユニットの出力端として対応するゲート駆動信号を出力する。
【００３４】
該奇数個目のＧＯＡ駆動サブユニットの該第１インバータの該第１クロック制御端と該トライステートＮＡＮＤゲートの第２入力端とが、それぞれ第１クロック信号に電気的に接続する。該第１インバータの第２クロック制御端と該トライステートＮＡＮＤゲートの第３入力端が、それぞれ該第２クロック信号に電気的に接続する。
【００３５】
前記中段回路の該偶数個目のＧＯＡ駆動サブユニットが、第１インバータと第２インバータと第１ＮＯＲゲート及び第２ＮＯＲゲートと、第３インバータと、第４インバータと第５インバータとを含む。
【００３６】
該第１インバータは、入力端と第１クロック制御端と第２クロック制御端と出力端とを含んでなり、かつ該入力端が１個前のＧＯＡ回路の出力端に電気的に接続する。
【００３７】
該第２インバータは入力端が該第１インバータの出力端に電気的に接続する。
【００３８】
第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続する。
【００３９】
該第３インバータは、入力端が該第２ＮＯＲゲートの出力端に電気的に接続する。
【００４０】
該第４インバータは、第１入力端と第２入力端と出力端とを含み、かつ該第１入力端が該第３インバータの出力端に電気的に接続する。
【００４１】
該第５インバータは、入力端が該第４インバータの出力端に電気的に接続し、かつ該第５インバータの出力端を該段のＧＯＡ駆動サブユニットの出力端として対応するゲート駆動信号を出力する。
【００４２】
該偶数個目のＧＯＡ駆動サブユニットの該第１インバータの該第１クロック制御端と該第４インバータの第２入力端とが、それぞれ第２クロック信号に電気的に接続し、該第１インバータの第２クロック制御端に第１クロック信号が電気的に接続する。
【００４３】
また、上述する課題を解決するためにこの発明が別途採用する技術プランは、一種のフラットパネル表示装置に適用されるＧＯＡ駆動回路を提供するものであって、複数のカスケード接続するＧＯＡ駆動サブユニットを含む前段回路と、複数のカスケード接続するＧＯＡ駆動サブユニットを含む中段回路と、複数のカスケード接続するＧＯＡ駆動サブユニットを含む後段回路と、を含んでなる。
【００４４】
該中段回路の１つ前のＧＯＡ駆動サブユニットの入力端が該前段回路の最後のＧＯＡ駆動サブユニットの出力端に電気的に接続する。
【００４５】
該後段回路の１つめのＧＯＡ駆動サブユニットの入力端が該中段回路の最後のＧＯＡ駆動サブユニットの出力端に電気的に接続する。
【００４６】
該前段回路と該中段回路と該後段回路のＧＯＡ駆動サブユニットは、それぞれ第１クロック信号と第２クロック信号とを受信して、順にゲート駆動信号を生成する。
【００４７】
該第１クロック信号と該第２クロック信号とに中断周期を設定し、順に生成される対応したゲート駆動信号の間に中断を発生させ、フラットパネル表示装置が中断する区間内でタッチ検知の操作を行なう。
【００４８】
前記前段回路と該中段回路と該後段回路とにおけるそれぞれのＧＯＡ駆動サブユニットは、それぞれ１本の対応するゲート線に電気的に接続し、対応するゲート駆動信号を対応するゲート線に、順に出力する。
【００４９】
前記第１クロック信号と第２クロック信号は、それぞれ第１周期と中断周期と回復周期と第２周期とを含む。
【００５０】
該第１周期において、該第１クロック信号と該第２クロック信号とがパルス信号をそれぞれ出力し、該第１クロック信号の出力するパルス信号の極性と、該第２クロック信号の出力するパルス信号の極性とが逆であって、かつＧＯＡ駆動回路の該前段回路のＧＯＡ駆動サブユニットは、それぞれ部分的なゲート駆動信号を順に出力し、フラットパネル表示装置の部分的なゲート線を駆動する。
【００５１】
該中断周期においては、該第１クロック信号を第１ロジックに維持し、該第２クロック信号を第２ロジックに維持し、該第１ロジックは該第２ロジックと極性が逆になり、かつ該中断周期においてＧＯＡ駆動回路の該中段回路と該後段回路とがゲート駆動信号の出力を中止する。
【００５２】
該回復周期においては、該第１クロック信号を第２ロジックに維持し、該第２クロック信号は１つの第２ロジック信号と１つの第１ロジック信号を出力し、ＧＯＡ駆動回路の該中段回路が、次の２段のゲート駆動信号の出力を回復する。
【００５３】
該第２周期において、該第１クロック信号と該第２クロック信号とがパルス信号をそれぞれ出力し、かつ該第１クロック信号の出力するパルス信号の極性と、該第２クロック信号の出力するパルス信号の極性とが逆になり、ＧＯＡ駆動回路の該後段回路は、残りのゲート駆動信号を出力する。
【００５４】
前記第１ロジックがロジック低レベルであって、該第２ロジックがロジック高レベルである。
【００５５】
前記中断周期は、実際のニーズに基づき調整される。
【００５６】
前記前段回路と該中段回路と該後段回路とが、奇数個目のＧＯＡ駆動サブユニットと偶数個目のＧＯＡ駆動サブユニットとを含む。
【００５７】
前記前段回路の該奇数個目のＧＯＡ駆動サブユニットと該偶数個目のＧＯＡ駆動サブユニットとが、第１インバータと第２インバータと第１ＮＯＲゲート及び第２ＮＯＲゲートと、ＮＡＮＤゲートと、第３インバータと、第４インバータとを含む。
【００５８】
該第１インバータは、入力端と第１クロック制御端と第２クロック制御端と出力端とを含んでなり、かつ該入力端が１個前のＧＯＡ駆動サブユニットの出力端に電気的に接続する。
【００５９】
該第２インバータは入力端が該第１インバータの出力端に電気的に接続する。
【００６０】
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続する。
【００６１】
該ＮＡＮＤゲートは、第１入力端が該第１クロック信号か、該第２クロック信号に電気的に接続し、かつ第２入力端が該第２ＮＯＲゲートの出力端に電気的に接続する。
【００６２】
該第３インバータは、入力端が該ＮＡＮＤゲートの出力端に電気的に接続する。
【００６３】
該第４インバータは、入力端が該第３インバータの出力端に電気的に接続し、かつ該第４インバータの出力端を該段のＧＯＡ駆動サブユニットの出力端として対応するゲート駆動信号を出力する。
【００６４】
該奇数個目のＧＯＡ駆動サブユニットの該第１インバータは、第１クロック制御端が該第１クロック信号に電気的に接続し、第２クロック制御端が該第２クロック信号に電気的に接続し、かつ該ＮＡＮＤゲートの第１入力端が該第１クロック信号に電気的に接続する。
【００６５】
該偶数個目のＧＯＡ駆動サブユニットの該第１インバータは、第１クロック制御端が該第２クロック信号に電気的に接続し、第２クロック制御端が該第１クロック信号に電気的に接続し、該ＮＡＮＤゲートの第１入力端が該第２クロック制御信号に電気的に接続する。
【００６６】
前記中段回路の該奇数個目のＧＯＡ駆動サブユニットが、第１インバータと第２インバータと第１ＮＯＲゲート及び第２ＮＯＲゲートと、トライステートＮＡＮＤゲートと、第３インバータと、第４インバータとを含む。
【００６７】
該第１インバータは、入力端と第１クロック制御端と第２クロック制御端と出力端とを含んでなり、かつ該入力端が該前段回路の最後のＧＯＡ回路の出力端に電気的に接続する。
【００６８】
該第２インバータは入力端が該第１インバータの出力端に電気的に接続する。
【００６９】
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続する。
【００７０】
該トライステートＮＡＮＤゲートは、第１入力端と第２入力端と、第３入力端と出力端とを含み、かつ該第１入力端が該第２ＮＯＲゲートの出力端に電気的に接続する。
【００７１】
該第３インバータは、入力端が該トライステートＮＡＮＤゲートの出力端に電気的に接続する。
【００７２】
該第４インバータは、入力端が該第３インバータの出力端に電気的に接続し、かつ該第４インバータの出力端を該段のＧＯＡ駆動サブユニットの出力端として対応するゲート駆動信号を出力する。
【００７３】
該奇数個目のＧＯＡ駆動サブユニットの該第１インバータの該第１クロック制御端と該トライステートＮＡＮＤゲートの第２入力端とが、それぞれ第１クロック信号に電気的に接続し、該第１インバータの第２クロック制御端と該トライステートＮＡＮＤゲートの第３入力端とが、それぞれ第２クロック信号に電気的に接続する。
【００７４】
前記中段回路の該偶数個目のＧＯＡ駆動サブユニットが、第１インバータと第２インバータと第１ＮＯＲゲート及び第２ＮＯＲゲートと、第３インバータと、第４インバータと第５インバータとを含む。
【００７５】
該第１インバータは、入力端と第１クロック制御端と第２クロック制御端と出力端とを含んでなり、かつ該入力端が１個前のＧＯＡ回路の出力端に電気的に接続する。
【００７６】
該第２インバータは入力端が該第１インバータの出力端に電気的に接続する。
【００７７】
第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続する。
【００７８】
該第３インバータは、入力端が該第２ＮＯＲゲートの出力端に電気的に接続する。
【００７９】
該第４インバータは、第１入力端と第２入力端と出力端とを含み、かつ該第１入力端が該第３インバータの出力端に電気的に接続する。
【００８０】
該第５インバータは、入力端が該第４インバータの出力端に電気的に接続し、かつ該第５インバータの出力端を該段のＧＯＡ駆動サブユニットの出力端として対応するゲート駆動信号を出力する。
【００８１】
該偶数個目のＧＯＡ駆動サブユニットの該第１インバータの該第１クロック制御端と該第４インバータの第２入力端とが、それぞれ第２クロック信号に電気的に接続し、該第１インバータの第２クロック制御端に第１クロック信号が電気的に接続する。
【００８２】
前記後段回路の該奇数個目のＧＯＡ駆動サブユニットと該偶数個目のＧＯＡ駆動サブユニットとが、第１インバータと第２インバータと第１ＮＯＲゲート及び第２ＮＯＲゲートと、ＮＡＮＤゲートと、第３インバータと、第４インバータとを含む。
【００８３】
該第１インバータは、入力端と第１クロック制御端と第２クロック制御端と出力端とを含んでなり、かつ該入力端が前段回路の最後のＧＯＡ駆動サブユニットの出力端に電気的に接続する。
【００８４】
該第２インバータは入力端が該第１インバータの出力端に電気的に接続する。
【００８５】
該第１ＮＯＲゲートは第１入力端が該第２インバータの出力端に電気的に接続し、第２入力端が該第２ＮＯＲゲートの出力端に電気的に接続し、かつ出力端が該第２ＮＯＲゲートの第１入力端に電気的に接続し、該第２ＮＯＲゲートは、第２入力端が該第２インバータの入力端に電気的に接続する。
【００８６】
該ＮＡＮＤゲートは、第１入力端が該第１クロック信号か、該第２クロック信号に電気的に接続し、かつ第２入力端が該第２ＮＯＲゲートの出力端に電気的に接続する。
【００８７】
該第３インバータは、入力端が該ＮＡＮＤゲートの出力端に電気的に接続する。
【００８８】
該第４インバータは、入力端が該第３インバータの出力端に電気的に接続し、かつ該第４インバータの出力端を該段のＧＯＡ駆動サブユニットの出力端として対応するゲート駆動信号を出力する。
【００８９】
該奇数個目のＧＯＡ駆動サブユニットの該第１インバータは、第１クロック制御端が該第１クロック信号に電気的に接続し、第２クロック制御端が該第２クロック信号に電気的に接続し、かつ該ＮＡＮＤゲートの第１入力端が該第１クロック信号に電気的に接続する。
【００９０】
該偶数個目のＧＯＡ駆動サブユニットの該第１インバータは、第１クロック制御端が該第２クロック信号に電気的に接続し、第２クロック制御端が該第１クロック信号に電気的に接続し、該ＮＡＮＤゲートの第１入力端が該第２クロック制御信号に電気的に接続する。
【００９１】
また、上述する課題を解決するために、この発明の採用するその他技術プランは、一種のフラットパネル表示装置を提供するものであって、該フラットパネル表示装置は、上述するＧＯＡ駆動回路を含んでなる。
【発明の効果】
【００９２】
この発明は従来の技術と異なり、この発明によるフラットパネル表示装置に適用されるＧＯＡ駆動回路は、順に接続する前段回路と中段回路と後段回路とを含んでなり、該第１クロック信号と該第２クロック信号が該前段回路と該中段回路と該後段回路とに信号を提供することで対応するゲート駆動信号を順に発生させる。また、この発明は、該第１クロック信号と該第２クロック信号とに中断周期を設定し、該第１クロック信号と該第２クロック信号とによる走査が中断周期に至ると、順に生成される対応したゲート駆動信号に中断が発し、中断周期を過ぎるとＧＯＡ駆動回路は対応するゲート駆動信号の発生を回復させる。中断周期において、フラットパネル表示装置はタッチ検知の操作を行う。よって、ゲート線による駆動走査の過程でのタッチ検知の操作を実現し、ゲート線による駆動走査の終了を待ってタッチ検知の操作を行なう必要がない。このため、タッチ走査の頻度を増やし、マルチタッチを実現することができる。
【図面の簡単な説明】
【００９３】
【図１】この発明によるフラットパネル表示装置に適用されるＧＯＡ駆動回路の実施の形態の構造を示した説明図である。
【図２】この発明の実施の形態における前段回路の奇数個目のＧＯＡ駆動サブユニットの回路を示した説明図である。
【図３】この発明の実施の形態における前段回路の偶数個目のＧＯＡ駆動サブユニットの回路を示した説明図である。
【図４】この発明の実施の形態における中段回路の奇数個目のＧＯＡ駆動サブユニットの回路を示した説明図である。
【図５】この発明の実施の形態における中段回路の偶数個目のＧＯＡ駆動サブユニットの回路を示した説明図である。
【図６】の発明の実施の形態における後段回路の奇数個目のＧＯＡ駆動サブユニットの回路を示した説明図である。
【図７】この発明の実施の形態における後段回路の偶数個目のＧＯＡ駆動サブユニットの回路を示した説明図である。
【図８】この発明の実施の形態におけるＧＯＡ駆動回路の出力時のシーケンスの状態を示した説明図である。
【発明を実施するための形態】
【実施例】
【００９４】
この発明は、一種のフラットパネル表示器に適用されるＧＯＡ駆動回路を提供するものであって、その実施の形態においては、例えば図１に開示するように、該ＧＯＡ駆動回路はアレイ基板上に集積され、ゲート線に駆動信号を提供する。図面に開示するように、ＧＯＡ回路は順に、電気的に接続する前段回路１と中段回路２と後段回路３とを含む。前段回路１は、カスケード接続する複数のＧＯＡ駆動サブユニットを含み、中段回路２は２つのカスケード接続するＧＯＡ駆動サブユニットを含む。中段回路２は、１個前のＧＯＡ駆動サブユニットの入力端が前段回路１の最後のＧＯＡ駆動サブユニットの出力端に電気的に接続する。後段回路３はカスケード接続する複数のＧＯＡ駆動サブユニットを含む。後段回路３は、１個目のＧＯＡ駆動サブユニットの入力端が中段回路２の１つ後ろの駆動素子の出力端に電気的に接続する。前掲のカスケード接続とは並列を指す。即ち、複数の駆動サブユニットの内の１つ前のＧＯＡ駆動サブユニットの出力端が１つ後ろのＧＯＡ駆動サブユニットの入力端に接続する。前段回路１と後段回路３は、それぞれ２つ、もしくは２つ以上のＧＯＡ駆動サブユニットを含む。この発明の実施例の方式によるＧＯＡ駆動サブユニットはシフトレジスタを介することによって実現する。
【００９５】
前段回路１と中段回路２と後段回路３のＧＯＡ駆動サブユニットは、それぞれ第１クロック信号と第２クロック信号とを受信して、順にゲート駆動信号を生成する。ゲート線をＧＯＡ駆動サブユニットに接続することで、ＧＯＡ駆動サブユニットを介してゲート線にゲート駆動信号を提供することができ、かつ第１クロック信号と第２クロック信号とに中断周期を設定する。よって、順に生成される対応したゲート駆動信号の間に中断が発生し、フラットパネル表示装置は中断する区間内でタッチ検知の操作を行なう。第１クロック信号と第２クロック信号とによる走査で中断周期を見つけた場合、ＧＯＡ駆動回路のいずれかのＧＯＡ駆動サブユニットの信号が中断する。即ち信号が発生しない。係る中断はＧＯＡ駆動回路の最初の１つと最後の１つを除くＧＯＡ駆動サブユニットのいずれかに発生する。この場合、ＧＯＡ駆動回路はゲート線への駆動信号の提供を中止し、フラットパネル表示装置はタッチの検知操作を行う。中断周期を過ぎると、該ＧＯＡ駆動サブユニットは信号を回復させ、継続してゲート線に駆動信号を提供する。この発明の実施の形態の方式では、第１クロック信号と第２クロック信号とに２つ、又は２つ以上の中断周期を設定する
【００９６】
従来の技術に比して、この発明の実施の形態によるフラットパネル表示装置に適用されるＧＯＡ駆動回路は、順に接続する前段回路１と中段回路２と後段回路３とを含む。それぞれ第１クロック信号と第２クロック信号とを通じて前段回路１と中段回路２と後段回路３とに信号を提供して対応するゲート駆動信号を順に発生させ、かつこの発明の実施の形態の方式においては第１クロック信号と第２クロック信号とに中断周期を設定する点において異なる。このためＧＯＡ駆動回路には、対応するゲート駆動信号の順次生成に中断が発生し、中断周期を過ぎると該ＧＯＡ駆動サブユニットは対応するゲート駆動信号を回復させる。中断周期内では、フラットパネル表示装置はタッチ検知の操作を行う。係る方式によって、ゲート線駆動走査の過程におけるタッチ検知の操作を実現することができ、全てのゲート線駆動走査が済むのを待ってタッチ検知の操作を行なう必要がない。したがって、タッチ検知の操作の頻度を増加し、マルチタッチを実現することができる。
【００９７】
図１に開示するように、前段回路１と中段回路２と後段回路３とにおけるそれぞれのＧＯＡ駆動サブユニットは、それぞれ１本の対応するゲート線に電気的に接続し、対応するゲート駆動信号を対応するゲート線に、順に出力する。
【００９８】
前段回路と中段回路と後段回路の順に接続するＧＯＡ駆動サブユニットの出力端は、それぞれ隣り合う複数本のゲート線に順に接続する。例えば、１つのＧＯＡ駆動サブユニットの出力端がゲート線Ｇｎに接続していたとすれば、その１つ前のＧＯＡ駆動サブユニットの出力端はゲート線Ｇｎ−１に接続し、その１つ後ろのＧＯＡ駆動サブユニットの出力端はゲート線Ｇｎ＋１に接続する。第１クロック信号と第２クロック信号とによる走査で中断周期を見つけた場合、ＧＯＡ駆動回路の信号は中断する。例えば、出力端に接続したゲート線Ｇｎに接続するＧＯＡ駆動サブユニットに中断が発生すると、該中断の周期内において、該ＧＯＡ駆動サブユニットはゲート線Ｇｎにゲート駆動信号を出力せず、この場合、タッチ検知の操作を行う。中断周期が過ぎると、該ＧＯＡ駆動サブユニットは、ゲート線Ｇｎに出力するゲート駆動信号を回復させ、同時に信号をその出力端に接続する１つ後ろのＧＯＡ駆動サブユニットに伝送し、１つ後ろのＧＯＡ駆動サブユニットがゲート線Ｇｎ＋１にゲート駆動信号を出力する、よって、ＧＯＡ駆動回路は駆動信号の走査を回復する。
【００９９】
第１クロック信号と第２クロック信号は、それぞれ第１周期と中断周期と回復周期と第２周期とを含む。
【０１００】
第１周期において、第１クロック信号と第２クロック信号は、それぞれパルス信号を出力し、第１クロック信号の出力するパルス信号の極性と、第２クロック信号の出力するパルス信号の極性とが逆になる。ＧＯＡ駆動回路の前段回路のＧＯＡ駆動サブユニットは、それぞれ部分的なゲート駆動信号を順に出力し、フラットパネル表示装置の部分的なゲート線を駆動する。即ち、第１周期において、前段回路のＧＯＡ駆動サブユニットは、接続するゲート線にゲート駆動信号を出力する。
【０１０１】
中断周期においては、第１クロック信号を第１ロジックに維持し、第２クロック信号を第２ロジックに維持する。第１ロジックは第２ロジックと極性が逆になり、かつ中断周期においてＧＯＡ駆動回路の中段回路と後段回路はゲート駆動信号の出力を中止する。即ち、中断周期において、中段回路のＧＯＡ駆動サブユニットの出力端は信号を出力せず、接続するゲート線にゲート駆動信号を出力しない。よって、該中断周期においてゲート線駆動は中断し、タッチ信号の走査を行うことができるようになる。この発明の実施の形態の方式は、中断周期の長さを実際のニーズに合わせて調整する。一般的に１つのパルス信号時間より長くし、かつ１フレームの画面の時間より短くする。
【０１０２】
回復周期においては、第１クロック信号を第２ロジックに維持し、第２クロック信号は１つの第２ロジック信号と１つの第１ロジック信号を出力する。ＧＯＡ駆動回路の中段回路が、次の２個のゲート駆動信号の出力を回復すると、回復周期において、中段回路のＧＯＡ駆動サブユニットの出力端は接続するゲート線に対するゲート駆動信号の出力を回復させる。即ち、タッチ信号の走査が終了した後、ＧＯＡ駆動回路は継続して未完成のゲート線駆動信号による走査を行なう。
【０１０３】
第２周期において、第１クロック信号と第２クロック信号は、それぞれパルス信号を出力する。第１クロック信号の出力するパルス信号の極性と、第２クロック信号の出力するパルス信号の極性とが逆になる。ＧＯＡ駆動回路の後段回路は、残りのゲート駆動信号を出力し、ゲート線駆動信号による走査を完成させる。
【０１０４】
この発明の実施の形態の方式は、第１クロック信号と第２クロック信号とを第１周期と中断周期と回復周期と第２周期との複数の部分に分け、かつ第１周期に、前段回路によるゲート線への駆動信号の出力を設置する。第１クロック信号と第２クロック信号とが中断周期に至ると、駆動信号を中段回路に伝送し、かつ中断周期において、中段回路が信号を出力しないようにする。このためゲート線への駆動信号の伝送を中止し、中断周期においてタッチ信号の走査を行なうことができるようになる。回復周期に至ると、中段回路は再度ゲート線への駆動信号の出力を回復させ、第２周期に至ると、駆動信号は後段回路に伝送され、かつ第２周期において後段回路は接続するゲート線に駆動信号を出力する。
【０１０５】
該第１ロジックはロジック低レベルであって、該第２ロジックはロジック高レベルである。
【０１０６】
図２から図８に開示するように、前段回路１と中段回路２と後段回路３は、それぞれ接続する１つの奇数個目ののＧＯＡ駆動サブユニットと、１つの偶数個目ののＧＯＡ駆動サブユニットを含む。即ち、この発明の実施の形態の方式におけるＧＯＡ駆動回路は、合わせて６つのＧＯＡ駆動サブユニットを含み、６本のゲート線Ｇｎ、Ｇｎ＋１、Ｇｎ＋２、Ｇｎ＋３、Ｇｎ＋４、Ｇｎ＋５に駆動信号を提供する。
【０１０７】
図２、３に開示するように、前段回路の奇数個目のＧＯＡ駆動サブユニットと偶数個目のＧＯＡ駆動サブユニットは同一の構造を有し、第１インバータ１１、２１と第２インバータ１２、２２と第１ＮＯＲゲート１３、２３と第２ＮＯＲゲート１４、２４とＮＡＮＤゲート１５、２５と第３インバータ１６、２６と第４インバータ１７、２７とを含む。
【０１０８】
第１インバータ１１、２１は、入力端と第１クロック制御端と第２クロック制御端と出力端とを含んでなる。該入力端は前段ＧＯＡ駆動サブユニットの出力端に電気的に接続し、本ＧＯＡ駆動サブユニットの信号入力端とする。この発明の実施に形態の方式において、前段回路の奇数個目のＧＯＡ駆動サブユニットの第１インバータ１１は、入力端がＧＯＡ駆動回路の起動信号を受信する。前段回路の偶数個目のＧＯＡ駆動サブユニットの第１インバータ２１は、入力端が前段回路の奇数個目のＧＯＡ駆動サブユニットの第４インバータ１７の出力端に接続する。
【０１０９】
第２インバータ１２、２２は入力端が第１インバータ１１、２１の出力端に電気的に接続する。
【０１１０】
第１ＮＯＲゲート１３、２３は、第１入力端が第２インバータ１２、２２の出力端に電気的に接続し、第２入力端が第２ＮＯＲゲート１４、２４の出力端に電気的に接続し、出力端が第２ＮＯＲゲート１４、２４の第１入力端に電気的に接続する。第２ＮＯＲゲート１４、２４は、第２入力端が第２インバータ１２、２２の入力端に電気的に接続する。
【０１１１】
ＮＡＮＤゲート１５、２５は、第１入力端が第１クロック信号ＣＫか、第２クロック信号ＸＣＫに電気的に接続し、第２入力端が第２ＮＯＲゲート１４、２４の出力端に電気的に接続する。
【０１１２】
第３インバータ１６、２６は、入力端がＮＡＮＤゲート１５、２５の出力端に電気的に接続する。
【０１１３】
第４インバータ１７、２７は、入力端が第３インバータ１６、２６の出力端に電気的に接続し、かつ第４インバータ１７、２７の出力端を該段のＧＯＡ駆動サブユニットの出力端として対応するゲート駆動信号を出力する。また、第４インバータ１７は出力端がゲート線Ｇｎに接続し、第４インバータ２７は出力端がゲート線Ｇｎ＋１に接続する。
【０１１４】
前段回路の奇数個目のＧＯＡ駆動サブユニットの第１インバータ１１は、第１クロック制御端が第１クロック信号ＣＫに電気的に接続し、第２クロック制御端が第２クロック信号ＸＣＫに電気的に接続する。ＮＡＮＤゲート１５の第１入力端は第１クロック信号ＣＫに電気的に接続する。
【０１１５】
前段回路の偶数個目のＧＯＡ駆動サブユニットの第１インバータ２１は、第１クロック制御端が第２クロック信号ＸＣＫに電気的に接続し、第２クロック制御端が第１クロック信号ＣＫに電気的に接続する。ＮＡＮＤゲート２５の第１入力端は第２クロック制御信号ＸＣＫに電気的に接続する。
【０１１６】
この発明の実施の形態の前段回路の奇数個目のＧＯＡ駆動サブユニットの第４インバータ１７は、出力端が１個前の偶数個目のＧＯＡ駆動サブユニットの第１インバータ２１の入力端に接続する。
【０１１７】
上述する回路の設計によって、第１周期内にパルス信号の極性が互いに逆の第１クロック信号と第２クロック信号とを出力し、前段回路が対応するゲート線に駆動信号出力する。
【０１１８】
中段回路の奇数個目のＧＯＡ駆動サブユニットと偶数個目のＧＯＡ駆動サブユニットの構造はやや異なる。図４に開示するように、中段回路の奇数個目のＧＯＡ駆動サブユニットは第１インバータ３１と、第２インバータ３２と、第１ＮＯＲゲート３３及び第２ＮＯＲゲート３４と、トライステートＮＡＮＤゲート３５と、第３インバータ３６と、第４インバータ３７とを含む。
【０１１９】
第１インバータ３１は、入力端と第１クロック制御端と第２クロック制御端と出力端とを含み、入力端は前段回路の最後のＧＯＡ駆動サブユニットの出力端に接続して該段のＧＯＡ駆動サブユニットの信号入力端をなす。この発明の実施の形態において、中段回路の奇数個目のＧＯＡ駆動サブユニットの第１インバータ３１の入力端は、前段回路の偶数個目のＧＯＡ駆動サブユニットの第４インバータ３７の出力端に接続する。
【０１２０】
第２インバータ３２は入力端が第１インバータ３１の出力端に電気的に接続する。
【０１２１】
第１ＮＯＲゲート３３は、第１入力端が第２インバータ３２の出力端に電気的に接続し、第２入力端が第２ＮＯＲゲートの出力端に電気的に接続する。第１ＮＯＲゲート３３の出力端は第２ＮＯＲゲート３４の第１入力端に電気的に接続し、第２ＮＯＲゲート３４の第２入力端は第２インバータ３２の入力端に電気的に接続する。
【０１２２】
トライステートＮＡＮＤゲート３５は、第１入力端と第２入力端と第３入力端と出力端とを含み、第１入力端は第２ＮＯＲゲート３４の出力端に電気的に接続する。
【０１２３】
第３インバータ３６は、入力端がトライステートＮＡＮＤゲート３５の出力端に電気的に接続する。
【０１２４】
第４インバータ３７は、入力端が第３インバータ３６の出力端に電気的に接続し、かつ第４インバータ３７の出力端を本ＧＯＡ駆動サブユニットの出力端とし、ゲート線Ｇｎ＋２に接続して対応するゲート駆動信号を出力する。
【０１２５】
奇数個目のＧＯＡ駆動サブユニットの第１インバータ３１の第１クロック制御端とトライステートＮＡＮＤゲート３５の第２入力端とには、それぞれ第１クロック信号ＣＫが電気的に接続し、第１インバータ３１の第２クロック制御端とトライステートＮＡＮＤゲート３５の第３入力端とには、それぞれ第２クロック信号ＸＣＫが電気的に接続する。
【０１２６】
図５に開示するように、中段回路の偶数個目のＧＯＡ駆動サブユニットは、第１インバータ４１と、第２インバータ４２と、第１ＮＯＲゲート４３及び第２ＮＯＲゲート４４と、第３インバータ４５と、第４インバータ４６と、第５インバータ４７とを含む。
【０１２７】
第１インバータ４１は、入力端と第１クロック制御端と第２クロック制御端と出力端とを含み、入力端は前段ＧＯＡ駆動サブユニットの出力端に電気的に接続する。即ち、中段回路の奇数個目のＧＯＡ駆動サブユニットの第４インバータ３７の出力端に接続する。
【０１２８】
第２インバータ４２は入力端が第１インバータ４１の出力端に電気的に接続する。
【０１２９】
第１ＮＯＲゲート４３は、第１入力端が第２インバータ４２の出力端に電気的に接続し、第２入力端が第２ＮＯＲゲート４４の出力端に電気的にに接続する。第１ＮＯＲゲート４３の出力端は第２ＮＯＲゲート４４の第１入力端に電気的に接続し、第２ＮＯＲゲート４４の第２入力端は  第２インバータ４２の入力端に電気的に接続する。
【０１３０】
第３インバータ４５は、入力端がト第２ＮＯＲゲート４４の出力端に電気的に接続する。
【０１３１】
第４インバータ４６は、第１入力端と第２入力端と出力端とを含み、第１入力端が第３インバータ４５の出力端に電気的に接続する。
【０１３２】
第５インバータ４７は、入力端が第４インバータ４６の出力端に電気的に接続し、かつ第５インバータ４７の出力端を該段のＧＯＡ駆動サブユニットの出力端とし、ゲート線Ｇｎ＋３に接続して対応するゲート駆動信号を出力する。
【０１３３】
偶数個目のＧＯＡ駆動サブユニットの第１インバータ４１の第１クロック制御端と第４インバータ４６の第２入力端とには、それぞれ第２クロック信号ＸＣＫが電気的に接続し、第１インバータ４１の第２クロック制御端には、第１インバータ４１の第２クロック信号ＣＫが電気的に接続する。
【０１３４】
上述する回路の設計によれば、中断周期内において、それぞれ極性が逆の第１ロジックと第２ロジックの第１クロック信号と第２クロック信号とを維持して中段回路の奇数個目のＧＯＡ駆動サブユニットが信号を出力しないようにする。よって、ゲート線は駆動信号による走査を中断する。回復周期に至り、第１クロック信号が第２ロジックを出力し、第２クロック信号が第２ロジックを出力すると、中段回路の奇数個目のＧＯＡ駆動サブユニットが信号の出力を回復し、第１クロック信号が継続して第２ロジックを出力し、第２クロック信号が第１ロジックを出力すると、中段回路の偶数ＧＯＡ駆動サブユニットが信号を出力し、ここからＧＯＡ駆動回路がゲート線への駆動信号の伝送を回復させる。
【０１３５】
図６、７に開示するように、後段回路の奇数個目のＧＯＡ駆動サブユニットと偶数個目のＧＯＡ駆動サブユニットとは同一の構造を有し第１インバータ６１、７１と、第２インバータ６２、７２と、第１ＮＯＲゲート６３、７３と及び第２ＮＯＲゲート６４、７４と、ＮＡＮＤゲート６５、７５と、第３インバータ６６、７６と、第４インバータ６７、７７とを含む。
【０１３６】
第１インバータ６１、７１は、入力端と第１クロック制御端と第２クロック制御端と出力端とを含んでなる。該入力端は１個前のＧＯＡ駆動サブユニットの出力端に電気的に接続し、本ＧＯＡ駆動サブユニットの信号入力端とする。この発明の実施に形態の方式において、後段回路の奇数個目のＧＯＡ駆動サブユニットの第１インバータ６１は、入力端が中段回路の偶数個目ＧＯＡ駆動サブユニットの第５インバータ４７の入力端に接続して後段回路の奇数個目のＧＯＡ駆動サブユニットの信号入力端をなす。後段回路の偶数個目のＧＯＡ駆動サブユニットの第１インバータ７１は、入力端が後段回路の奇数個目のＧＯＡ駆動サブユニットの第４インバータ６７の出力端に接続する。
【０１３７】
第２インバータ６２、７２は入力端が第１インバータ６１、７１の出力端に電気的に接続する。
【０１３８】
第１ＮＯＲゲート６３、７３は、第１入力端が第２インバータ６２、７２の出力端に電気的に接続し、第２入力端が第２ＮＯＲゲート６４、７４の出力端に電気的に接続し、出力端が第２ＮＯＲゲート６４、７４の第１入力端に電気的に接続する。第２ＮＯＲゲート６４、７４は、第２入力端が第２インバータ６２、７２の入力端に電気的に接続する。
【０１３９】
ＮＡＮＤゲート６５、７５は、第１入力端が第１クロック信号ＣＫか、第２クロック信号ＸＣＫに電気的に接続し、第２入力端が第２ＮＯＲゲート６４、７４の出力端に電気的に接続する。
【０１４０】
第３インバータ６６、７６は、入力端がＮＡＮＤゲート６５、７５の出力端に電気的に接続する。
【０１４１】
第４インバータ６７、７７は、入力端が第３インバータ６６、７６の出力端に電気的に接続し、かつ第４インバータ６７、７７の出力端は本ＧＯＡ駆動サブユニットの出力端として、対応するゲート駆動信号を出力する。また、第４インバータ６７は出力端がゲート線Ｇｎ＋４に接続し、第４インバータ７７は出力端がゲート線Ｇｎ＋５に接続する。
【０１４２】
奇数個目のＧＯＡ駆動サブユニットの第１インバータ６１は、第１クロック制御端が第１クロック信号ＣＫに電気的に接続し、第２クロック制御端が第２クロック信号ＸＣＫに電気的に接続する。ＮＡＮＤゲート６５の第１入力端は第１クロック信号ＣＫに電気的に接続する。
【０１４３】
偶数個目のＧＯＡ駆動サブユニットの第１インバータ７１は、第１クロック制御端が第２クロック信号ＸＣＫに電気的に接続し、第２クロック制御端が第１クロック信号ＣＫに電気的に接続する。ＮＡＮＤゲート７５の第１入力端は第２クロック制御信号ＸＣＫに電気的に接続する。
【０１４４】
上述する回路の設計によれば、第２周期内において、パルス信号極性が逆の第１クロック信号と第２クロック信号とを出力することで、後段回路の対応するゲート線に対する駆動信号の出力を達成する。
【０１４５】
この発明の他の実施の形態による方式では、前段回路は２つを超える数のＧＯＡ駆動サブユニットをさらに含む。前段回路が２つを超える数のＧＯＡ駆動サブユニットを含む場合、奇数個目のＧＯＡ駆動サブユニットの構造と接続方式は、上述する実施の形態の前段回路の奇数個目のＧＯＡ駆動サブユニットと同一であり、偶数個目のＧＯＡ駆動サブユニットの構造と接続方式は、上述する実施の形態の前段回路の偶数個目のＧＯＡ駆動サブユニットと同一である。例えば、前段回路は順に接続する５つのＧＯＡ駆動サブユニットを含む場合、即ち、第１、３、５ＧＯＡ駆動サブユニットの構造と接続方式が上述する実施の形態の前段回路の奇数個目のＧＯＡ駆動サブユニットと同一であって、第２、４ＧＯＡ駆動サブユニットの構造と接続方式が上述する実施の形態の前段回路の偶数個目のＧＯＡ駆動サブユニットと同一である。
【０１４６】
この発明の実施の形態の方式において、後段回路は２つを超える数のＧＯＡ駆動サブユニットをさらに含む。後段回路が２つを超える数のＧＯＡ駆動サブユニットを含む場合、奇数個目のＧＯＡ駆動サブユニットの構造と接続方式は上述する実施の形態の前段回路の奇数個目のＧＯＡ駆動サブユニットと同一であり、偶数個目のＧＯＡ駆動サブユニットの構造と接続方式は、上述する実施の形態の前段回路の偶数個目のＧＯＡ駆動サブユニットと同一である。例えば、前段回路は順に接続する５つのＧＯＡ駆動サブユニットを含む場合、即ち、第１、３、５ＧＯＡ駆動サブユニットの構造と接続方式が上述する実施の形態の前段回路の奇数個目のＧＯＡ駆動サブユニットと同一であって、第２、４ＧＯＡ駆動サブユニットの構造と接続方式が上述する実施の形態の前段回路の偶数個目のＧＯＡ駆動サブユニットと同一である。
【０１４７】
この発明の他の実施の形態では、一種のフラットパネル表示装置を提供する。該フラットパネル表示装置は、上述する実施の形態によるＧＯＡ駆動回路を含んでなる。
【０１４８】
従来の技術に比して、この発明の実施の形態によるフラットパネル表示装置のＧＯＡ駆動回路は、順に接続する前段回路と中段回路と後段回路とを含み、それぞれ第１クロック信号と第２クロック信号とを通じて前段回路と中段回路と後段回路とに信号を提供して対応するゲート駆動信号を順に発生させ、かつこの発明の実施の形態の方式においては第１クロック信号と第２クロック信号とに中断周期を設定する点において異なる。このため第１クロック信号と第２クロック信号による走査が中断周期に至ると、ＧＯＡ駆動回路には、対応するゲート駆動信号の順次生成に中断が発生する。中断周期を過ぎると該ＧＯＡ駆動サブユニットは対応するゲート駆動信号を回復させる。中断周期内では、フラットパネル表示装置はタッチ検知の操作を行う。係る方式によって、ゲート線駆動走査の過程におけるタッチ検知の操作を実現することができ、全てのゲート線駆動走査が済むのを待ってタッチ検知の操作を行なう必要がない。したがって、タッチ検知の操作の頻度を増加し、マルチタッチを実現することができる。
【０１４９】
以上はこの発明の好ましい実施の形態であって、この発明の実施の範囲を限定するものではない。凡そこの発明の明細書と添付の図面の内容に基づいてなし得る均等の効果を有する構造、又は均等の効果を有するプロセスの変更、もしくは直接、間接的に関連する他の技術分野に転用することは、いずれも同一の理論によるものであり、いずれもこの発明の特許請求の範囲に含まれるものとする。
【符号の説明】
【０１５０】
１    前段回路
１１    第１インバータ
１２    第２インバータ
１３    第１ＮＯＲゲート
１４    第２ＮＯＲゲート
１５    ＮＡＮＤゲート
１６    第３インバータ
１７    第４インバータ
２    中段回路
２１    第１インバータ
２２    第２インバータ
２３    第１ＮＯＲゲート
２４    第２ＮＯＲゲート
２５    ＮＡＮＤゲート
２６    第３インバータ
２７    第４インバータ
３    後段回路
３１    第１インバータ
３２    第２インバータ
３３    第１ＮＯＲゲート
３４    第２ＮＯＲゲート
３５    トライステートＮＡＮＤゲート
３６    第３インバータ
３７    第４インバータ
４１    第１インバータ
４２    第２インバータ
４３    第１ＮＯＲゲート
４４    第２ＮＯＲゲート
４５    第３インバータ
４６    第４インバータ
４７    第５インバータ
６１    第１インバータ
６２    第２インバータ
６３    第１ＮＯＲゲート
６４    第２ＮＯＲゲート
６５    ＮＡＮＤゲート
６６    第３インバータ
６７    第４インバータ
７１    第１インバータ
７２    第２インバータ
７３    第１ＮＯＲゲート
７４    第２ＮＯＲゲート
７５    ＮＡＮＤゲート
７６    第３インバータ
７７    第４インバータ
ＣＫ    第１クロック信号
Ｇｎ    ゲート線
Ｇｎ−１    ゲート線
Ｇｎ＋１    ゲート線
Ｇｎ＋２    ゲート線
Ｇｎ＋３    ゲート線
Ｇｎ＋４    ゲート線
Ｇｎ＋５    ゲート線
ＸＣＫ    第２クロック信号
ＸＣＫ    第２クロック制御信号
【図１】
0006502503.tif 000002
【図２】
0006502503.tif 000003
【図３】
0006502503.tif 000004
【図４】
0006502503.tif 000005
【図５】
0006502503.tif 000006
【図６】
0006502503.tif 000007
【図７】
0006502503.tif 000008
【図８】
0006502503.tif 000009